(57)【要約】  少なくとも２つの層を含み、内層がＰＥフィルム又はＰＰフィルムから成り、ＰＣＴＦＥ層がＰＣＴＦＥフィルムから成り、ＰＣＴＦＥ層の厚さが約４０μｍ〜約１００μｍであり、必要に応じて液体を容器から押し出す装置を備える透明な装置であって、液状製薬的組成物、特に保存剤を含むインシュリン組成物を保管するのに優れた特性を示す容器。
2007506464.tif 000002
【特許請求の範囲】
【請求項１】
液体を防水性のチャンバに入れて保管するための柔軟で少なくとも一部が透明の容器であって、チャンバの壁の材料は少なくとも二層から成り、前記チャンバが液体を収容する際、二層の中の内層は前記液体と直に接触し、外層は全く又は殆ど前記液体と接触せず、前記内層と外層は互いに密着して貼り合わされており、前記チャンバに水で満たして約５℃の温度で２４ヶ月間保管した場合、容器から発散する水の量がもとの内容量の１０重量％未満、好ましくは５重量％未満、さらに好ましくは３重量％未満であり、前記チャンバに約１.８ｍｇ／ｍＬ（１９ｍＭ）のフェノールを含む水を満たして約５℃の温度で２４ヶ月間保管した場合、液体中のフェノール濃度の変化が約１０重量％未満、好ましくは５重量％未満、さらに好ましくは３重量％未満である事を特徴とする容器。
【請求項２】
液体を防水性のチャンバに入れて保管するための柔軟で少なくとも一部が透明の容器であって、チャンバの壁の材料は少なくとも二層から成り、前記チャンバが液体を収容する際、二層の中の内層は前記液体と直に接触し、外層は全く又は殆ど前記液体と接触せず、前記内層と外層は互いに密着して貼り合わされており、前記チャンバに水で満たして約５℃の温度で２４ヶ月間保管した場合、容器から発散する水の量がもとの内容量の１０重量％未満、好ましくは５重量％未満、さらに好ましくは３重量％未満であり、前記チャンバに約１.８ｍｇ／ｍＬ（１９ｍＭ）のフェノールを含む水を満たして約３７℃の温度で１２週間保管した場合、液体中のフェノール濃度の変化が約１０重量％未満、好ましくは５重量％未満、さらに好ましくは３重量％未満である事を特徴とする容器。
【請求項３】
外層だけで、前記チャンバを水で満たして約５℃の温度で２４ヶ月間保管した場合に容器から発散する水の量がもとの内容量の１０重量％未満、好ましくは５重量％未満、さらに好ましくは３重量％未満であるという要件を満たす、請求項１又は２に記載の容器。
【請求項４】
内層だけで、前記チャンバに約１.８ｍｇ／ｍＬ（１９ｍＭ）のフェノールを含む水を満たして約５℃の温度で２４ヶ月間保管した場合に液体中のフェノール濃度の変化が約１０重量％未満、好ましくは５重量％未満、さらに好ましくは３重量％未満であるか、又は前記チャンバに約１.８ｍｇ／ｍＬ（１９ｍＭ）のフェノールを含む水を満たして約３７℃の温度で１２週間保管した場合、液体中のフェノール濃度の変化が約１０重量％未満、好ましくは５重量％未満、さらに好ましくは３重量％未満であるという要件を満たす請求項１又は２に記載の容器。
【請求項５】
内層が溶接可能である、請求項１ないし４のいずれか１項に記載の容器。
【請求項６】
液体を防水性のチャンバに入れて保管するための容器であって、チャンバの壁の材料は少なくとも二層から成り、前記チャンバが液体を収容する際、二層の中の内層は前記液体と密接し、ＰＣＴＦＥフィルムから成るもう一つの層は全く又は殆ど前記液体と接触せず、前記内層はＰＥフィルム又はＰＰフィルムから成り、前記内層と前記ＰＣＴＦＥ層は共押し出し又は押し出し−積層により調製されたものであるか又は前記内層と前記ＰＣＴＦＥ層とは互いに貼り合わされたものであり、前記ＰＣＴＦＥ層の厚さは約４０μｍ超且つ約１００μｍ未満、好ましくは約７５μｍ未満である容器。
【請求項７】
少なくとも一部が透明である請求項６に記載の容器。
【請求項８】
全部が透明である請求項７に記載の容器。
【請求項９】
内層の厚さが約１０μｍ超、好ましくは約２０μｍ超、且つ約６０μｍ未満、好ましくは約５０μｍ未満、さらに好ましくは約４０μｍ未満である、請求項１に記載の容器。
【請求項１０】
水を満たして約５℃の温度で２４ヶ月間保管した場合、容器から発散する水の量がもとの内容量の１０重量％未満、好ましくは５重量％未満、さらに好ましくは２重量％未満である、請求項１に記載の容器。
【請求項１１】
約１.８ｍｇ／ｍＬ（１９ｍＭ）のフェノールを含む水を満たして約５℃の温度で２４ヶ月間保管した場合、フェノール濃度の変化が約１０重量％未満、好ましくは約５重量％未満、さらに好ましくは約２重量％未満である、請求項１又は２に記載の容器。
【請求項１２】
約１.８ｍｇ／ｍＬ（１９ｍＭ）のフェノールを含む水を満たして約３７℃の温度で１２週間保管した場合、フェノール濃度の変化が約１０重量％未満、好ましくは約５重量％未満、さらに好ましくは約２重量％未満である、請求項１又は２に記載の容器。
【請求項１３】
２.０６ｍｇ／ｍＬ（１９ｍＭ）のｍ−クレゾールを含む水を満たして約５℃の温度で２４ヶ月間保管した場合、ｍ−クレゾール濃度の変化が約１０重量％未満、好ましくは約５重量％未満、さらに好ましくは約２重量％未満である、請求項１ないし１２のいずれか１項に記載の容器。
【請求項１４】
２.０６ｍｇ／ｍＬ（１９ｍＭ）のｍ−クレゾールを含む水を満たして約３７℃の温度で１２週間保管した場合、ｍ−クレゾール濃度の変化が約１０重量％未満、好ましくは約５重量％未満、さらに好ましくは約２重量％未満である、請求項１ないし１３のいずれか１項に記載の容器。
【請求項１５】
試験Ａの結果、ｍ−クレゾールの最大損失が約１０重量％、好ましくは約５重量％以下である小袋用箔で調製された、請求項１ないし１４のいずれか１項に記載の容器。
【請求項１６】
試験Ａの結果、ｐＨ値の変化が約±０.２以下である小袋用箔で調製された、請求項１ないし１５のいずれか１項に記載の容器。
【請求項１７】
試験Ｂの結果、最大重量損失が約２.５重量％、好ましくは約１重量％以下である小袋用箔で調製された、請求項１ないし１６のいずれか１項に記載の容器。
【請求項１８】
試験Ｂの結果、ｍ−クレゾールの最大損失が約１０重量％、好ましくは約５重量％以下である小袋用箔で調製された、請求項１ないし１７のいずれか１項に記載の容器。
【請求項１９】
試験Ｂの結果、ｐＨ値の変化が約±０.２を超える小袋用箔で調製された請求項１ないし１８のいずれか１項に記載の容器。
【請求項２０】
試験Ｃの結果、最大重量損失が２.５重量％、好ましくは約２重量％以下である小袋用箔で調製された請求項１ないし１９のいずれか１項に記載の容器。
【請求項２１】
試験Ｃの結果、ｍ−クレゾールの最大損失が約１０重量％、好ましくは約５重量％以下である小袋用箔で調製された、請求項１ないし２０のいずれか１項に記載の容器。
【請求項２２】
試験Ｃの結果、フェノールの最大損失が約１０重量％、好ましくは約５重量％以下である小袋用箔で調製された、請求項１ないし２１のいずれか１項に記載の容器。
【請求項２３】
試験Ｃの結果、ｐＨ値の変化が約±０.２以下である小袋用箔で調製された、請求項１ないし２２のいずれか１項に記載の容器。
【請求項２４】
希釈倍率１:５０、好ましくは１:１００、さらに好ましくは１:２００、さらに好ましくは１:４００について試験Ｄの基準を満たす小袋用箔で調製された、請求項１ないし２３のいずれか１項に記載の容器。
【請求項２５】
箔中の一又は複数の連結層の厚さが約１μｍ〜約１０μｍ、好ましくは約８μｍ未満、さらに好ましくは約６μｍ未満である、請求項１ないし２４のいずれか１項に記載の容器。
【請求項２６】
柔軟性を有する、請求項１ないし２５のいずれか１項に記載の容器。
【請求項２７】
前記容器から前記液体を放出できる装置を備えた、請求項１ないし２６のいずれか１項に記載の容器。
【請求項２８】
第三の重合体層がＰＣＴＦＥ層の外側に追加される、請求項１ないし２７のいずれか１項に記載の容器。
【請求項２９】
液体で完全に満たされた場合、少なくとも約０.５ｍｌ、好ましくは少なくとも約１ｍｌ、且つ約１０ｍｌ以下、好ましくは約５ｍｌ以下、さらに好ましくは約２ｍｌ以下の量の液体を収容する事ができ、好ましくはその容積が約１.５ｍｌである、請求項１ないし２８のいずれか１項に記載の容器。
【請求項３０】
液体で完全に満たされた場合、約２ｍｌ〜約４ｍｌ、好ましくは約３ｍｌの量の液体を収容する事ができる、請求項１ないし２８のいずれか１項に記載の容器。
【請求項３１】
請求項１ないし３０のいずれか１項に記載の容器を液体製薬的組成物の保管に用いる使用法。
【請求項３２】
一部又は全部を液体製薬的組成物で満たす、請求項１ないし３０のいずれか１項に記載の容器。
【請求項３３】
容器の内部の少なくとも９５容量％、好ましくは少なくとも９８容量％、さらに好ましくは少なくとも９９容量％、さらに好ましくは少なくとも９９.９容量％が液体製薬的組成物を収容する、請求項３２に記載の容器。
【請求項３４】
含有有効成分がペプチドである液体製薬的組成物で一部又は全部が満たされる、請求項１ないし３０、３２及び３３のいずれか１項に記載の容器。
【請求項３５】
ペプチドがインシュリンである、請求項３４に記載の容器。
【請求項３６】
インシュリンの含有量が約１０Ｕ／ｍｌ〜約１５００Ｕ／ｍｌである、請求項３５に記載の容器。
【請求項３７】
保存剤を含む、請求項１ないし３０及び３２ないし３６のいずれか１項に記載の容器。
【請求項３８】
フェノールを含む液体製薬的組成物で一部又は全部が満たされる、請求項１ないし３０及び３２ないし３７のいずれか１項に記載の容器。
【請求項３９】
ｍ−クレゾールを含む液体製薬的組成物で一部又は全部が満たされる、請求項１ないし３０及び３２ないし３８のいずれか１項に記載の容器。
【請求項４０】
ベンジルアルコールを含む液体製薬的組成物で一部又は全部が満たされる、請求項１ないし３０及び３２ないし３９のいずれか１項に記載の容器。
【請求項４１】
互いに密着して貼り合わされた少なくとも二層から成るフィルム材料であって、請求項１ないし３０及び３２ないし４０のいずれか１項に記載の透明容器の調製に用いる事ができる事を特徴とする、フィルム材料。
【請求項４２】
請求項１ないし４１のいずれか１項に記載のあらゆる新規な特徴又は特徴の組み合わせ。
【発明の詳細な説明】
【発明の開示】
【０００１】
発明の分野
本発明は、溶液又は懸濁液、例えば必要に応じて保存剤を含む医薬品等の保存に用いる事のできる透明なプラスチック容器に関する。
【０００２】
発明の背景
医薬品には固形で患者に支給されるものもあれば液体の形で支給されるものもある。液体の医薬品はしばしば容器入りで支給される。容器には、ガラスのみで又は主にガラスでできたものもあれば、プラスチックのようなその他の材料だけで又は主にその他の材料でできたものもある。
固形医薬品はしばしばガラス容器入り又はプラスチック容器入りで市販されている。プラスチック容器の例としてはブリスターパックがある。
液状の製薬的組成物中において、有効成分は溶解された状態又は懸濁された状態で存在する。有効成分に加えて、製薬的組成物中は、製薬的に活性な担体、崩壊剤、安定剤又は緩衝剤を含み得る。
【０００３】
投与経路は医薬品の種類により異なる。経口で投薬される医薬品もあれば静脈注射又は皮下注射等の注射によって患者に投薬される医薬品もある。インシュリン等のペプチドである多くの医薬品は注射によって投薬される。以前、注射には注射筒が使用されていたが、インシュリンに関する限り注射にはいわゆる「ペンシステム」を使用するのがますます普通になってきている。更に、注射による投薬にはポンプを使う方法が一般的な方法になってきている。ポンプには、水性組成物がガラス製貯槽又はその他の硬質貯層の中に入るものもあれば、水性組成物が、全部又は主要部がプラスチック等のガラス以外の材料でできた柔軟性のある貯槽の中に入るものもある。
多くの水性組成物の場合、患者が使用するまで前記水性組成物を保管するのに安全に使用できる非ガラス材料を探し出すのは非常に困難な事である。多くの困難の一つは、水性組成物中の保存剤が、溶接層をポリクロロトリフルオロエチレン（以下ＰＣＴＦＥと称する）のような湿潤性のバリヤーに貼り付けるのに用いるポリウレタンを基剤とした汎用接着剤と高い親和性を持つ事により、ポリエチレン（以下ＰＥと称する）、ポリプロピレン（以下ＰＰと称する）、ポリエチレンテレフタレート（以下ＰＥＴと称する）等の重合体を基材とする溶接層において保存剤が高い移動性を有することである。保存剤を含む医薬品溶液を収容する従来技術のプラスチック製品の試験の結果、医薬品溶液中の保存剤含有量に迅速で望ましくない減少が起こる事が判った。本発明者にとっての主要な課題は、フェノール、ｍ−クレゾール及びベンジルアルコール等の保存剤を含む医薬品溶液の保管に関する安全基準を満たす、透明で柔軟性のある容器を調製するのに用いる事のできる材料又は材料の組み合わせを発見する事であった。
【０００４】
端的に言えば、本発明の目的は、従来技術の欠点の少なくとも一部を克服するか又は改良する事である。従って、下記目的の全てが、完全に克服され又は改良される訳ではない。
本発明の具体的な目的は、容器又は貯槽を提供する事である。
本発明の別の目的は、柔軟性のある容器を提供する事である。
本発明のもう一つの目的は、透明な容器を提供する事である。
本発明のもう一つの目的は、殺菌可能な部品を提供する事である。
本発明のもう一つの目的は、上記貯槽を形成するためにそれ自身に溶接される材料を提供する事である。
本発明のもう一つの目的は、必要に応じて保存剤を含む、医薬品の液体の溶液又は懸濁液を保管するのに用いる事のできる容器を提供する事である。
本発明のもう一つの目的は、容器の中身を検査するのに十分な透明度を有する容器を提供する事である。
本発明のもう一つの目的は、必要に応じて保存剤を含む医薬品の液体の溶液又は懸濁液を保管するのに用いる事のできる容器であって、材料として全く又は殆どガラスを使っていない容器を提供する事である。
本発明のもう一つの目的は、水性組成物中の有効成分の濃度が、十分な期間に亘る保管期間に殆ど変化しない事を保証する、遮断特性を有する容器を提供する事である。
本発明のもう一つの目的は、水性組成物中に存在するいかなる保存剤もその濃度が、十分な期間に亘る保管期間に殆ど変化しない事を保証する、遮断特性を有する容器を提供する事である。
本発明のもう一つの目的は、適切な隔膜材料に対して強固に溶接する事のできる容器を提供する事である。
本発明のもう一つの目的は、適切な隔膜材料に対して溶接以外の方法で強固に接着する事のできる容器を提供する事である。
【０００５】
本発明の更にもう一つの目的は、薬剤組成を基剤とした殺菌水を保管するのに用いる事のできる小袋の材料となるフィルムを提供する事である。
本発明の更にもう一つの目的は、ポンプ用の貯槽として用いる事のできる小袋であって、好ましくは薬剤組成を基剤とした殺菌水を収容する小袋を提供する事である。
本発明の更にもう一つの目的は、殺菌後の材料の物理的特性、殺菌後の材料の化学的要件及び清浄性等の一定の機能上の要件を満たすような前記小袋のフィルム材料を提供する事である。
従って、本発明の一つの目的は、例えばガンマ線照射、電子線、蒸気又は酸化エチレンを用いて殺菌する事のできる前記小袋のフィルム材料を提供する事である。
【０００６】
本発明の更にもう一つの目的は、殺菌後、物理的要件：１）材料が透明である事、２）材料が水に対する良好な遮断特性を提供する事、３）材料がガス（例えば、酸素や二酸化炭素）に対する良好な遮断特性を提供する事、４）材料が保存剤（例えば、フェノールやメタクレゾール）に対する良好な遮断特性を提供する事、５）材料が臭気（例えば、保存剤）に対する良好な遮断特性を提供する事、６）材料が環境応力割れ（例えば、油類、香料）に対し抵抗性を有する事、７）材料が屈曲き裂に対し抵抗性を有する事、８）材料が良好なシール性（例えば溶接により）を有する事、９）材料が殺菌後の処理工程又は保管の間に層間剥離を起こさない事、及び１０）材料が保管時及び使用時に著しく弛緩しない事、の大部分又は全部を満たすような、前記小袋のフィルム材料を提供する事である。
【０００７】
本発明の更にもう一つの目的は、殺菌後、化学的要件：１）材料が、医薬品中に、患者の健康や安全に影響するような物質（浸出可能物質）を放出しない事、２）材料中の抽出可能物質の量が極めて低いレベルである事、及び３）材料が製薬的組成物と化学変化を起こさないものである事、の大部分又は全部を満たすような、前記小袋のフィルム材料を提供する事である。
【０００８】
本発明の更にもう一つの目的は、殺菌後、清浄性に対する要件：１）衛生的条件下で材料を調製する事が可能である事、及び２）最終製品が埃及び粒子を含まない事、を満たすような、前記小袋のフィルム材料を提供する事である。
【０００９】
本発明の更にもう一つの目的は、一定の健康及び安全に関する要件、好ましくは１）欧州薬局方(Ph. Eur.)２００２年第４版、２）The United States Pharmacopeia (USP) 25;３）日本薬局方（JP）第１４改正、４）EEC Directive 90/128 + amendments “Relating to plastics materials and articles intended to come into contact with foodstuffs"、５）連邦規則集（CFR）Title21「食品と医薬品」part 170−190、６）III/9090/90 EN. Plastic Primary Packaging Materials. Note for Guidance、及び７）Guidance for Industry. Container Closure Systems for Packaging Human Drugs and Biologics, Chemistry, Manufacturing, and Controls Documentation. FDA、１９９９年５月に記載の要件の大部分又は全部を満たす前記小袋のフィルム材料を提供する事である。
【００１０】
共押し出しは、２以上の重合体材料を２以上の押し出し機中で溶融し、平ノズル又は平ノズルシステムを通して一緒に共押し出しし、冷却して共押し出し箔を形成する工程を含む。
押し出し−積層（共押出し積層とも称される）は、一種類の材料の箔の形状をした供給材料を、一つ又は複数の押し出し機から平ノズル又は平ノズルシステムを通って押し出しながら一層又は複数層の溶融材料で被覆した後、冷却して押し出し−積層箔を形成する工程を含む。
積層は、一つの箔に適切な接着剤を添加し、そこに第二の箔を添加する事により、二種類の箔材料の供給材料を合わせて積層箔を形成する工程を含む。
連結層は、二層を確実に貼り合わせることを目的に二つの重合体層の間に挟む層である。
【００１１】
本明細書において小袋又は貯槽とも称される容器という用語は、液体を保管できる物品の意味である。この容器は箔又はフィルムからなる。
前記容器のチャンバの内層は、前記容器中に保管される液体と直に接する。
本明細書において前記容器のチャンバの外層という用語は、前記容器中に保管される液体とは直に接しない層を意味する。即ち、内層が外層と前記液体との間に位置する。二つの層に関連し、内及び外という用語は、二層の位置の相互関係に関し、液体の位置により内と外の方向が決まる。例えばこの用語法は、外層の外側に更なる層を接着する事ができ、その結果、実際、いわゆる外層が、いわゆる内層と、いわゆる外層の外側に接着された追加層との間に位置する、という状態を排除するものではない。
【００１２】
柔軟な物品とは、屈曲可能であるか、又は容易に曲げることができ、（極端に曲げない限り）折れない物品である。ガラスは柔軟でない。本明細書において容器に関して柔軟という場合、容器に例えば液体を満たす事により力がかかっても、容器は壊れる事無くその形状を変えるという事を意味する。
【００１３】
本明細書において用語「インシュリン」は、ブタのインシュリン、ウシのインシュリン、及びヒトのインシュリン等あらゆる種類のインシュリン、亜鉛塩、プロタミン塩等のインシュリンの塩、さらにはインシュリンの活性誘導体及びインシュリン類似体等を指す。用語「インシュリンの活性誘導体」は、当業者が一般的に誘導体と考えるもの、一般的な教科書にあるもの、例えば本来のインシュリン分子には無い置換基を持つインシュリンを指す。用語「インシュリン類似体」は、インシュリンの一つ以上のアミノ酸残基が他のアミノ酸残基で置換された、及び／又は一つ以上のアミノ酸残基が削除された、及び／又は一つ以上のアミノ酸残基が付加されながら、十分なインシュリン活性を維持しているインシュリンを意味する。いわゆる遊離脂肪細胞アッセイの結果を用いる事により、例えば医者などの任意の当業者は、インシュリン類似体の投薬の時期と適量を知ることができる。インシュリン類似体の例は、ＵＳ５６１８９１３、ＥＰ２５４５１６、ＥＰ２８０５３４、ＵＳ５７５０４９７及びＵＳ６０１１００７、及びそれらの均等物に記載されている。インシュリン類似体の具体例としては、インシュリンアスパート（即ち、ＡｓｐＢ２８ヒトインシュリン）、インシュリンリスプロ（即ち、ＬｙｓＢ２８、ＰｒｏＢ２９ヒトインシュリン）、及びインシュリングラルジン（即ち、ＧｌｙＡ２１、ＡｒｇＢ３１、ＡｒｇＢ３２ヒトインシュリン）等が挙げられる。本明細書において用語「インシュリン」は、インシュリン誘導体であり且つインシュリン類似体であると考える事のできる化合物をも含む。そのような化合物の例は、ＵＳ５７５０４９７及びＵＳ６０１１００７、及びそれらの均等物に記載されている。インシュリン類似体であり誘導体でもあるものの特定の例として、インシュリンデテミール（即ち、ｄｅｓ−ＴｈｒＢ３０ヒトインシュリンγＬｙｓＢ２９テトラデカノイル）が挙げられる。
【００１４】
本明細書で用いられる用語「Ｕ」はインシュリン単位を意味する。現在使用（販売）されているインシュリン（ウシ、ブタ、ヒト、リスプロ、アスパート、及びグラルジン）は、６ナノモルに相当する１単位の効力を有している。長時間作用型のアシル化インシュリンはヒトインシュリンに比べて効力が小さい。従って、インシュリンデテミールの場合、１単位は２４ナノモルに相当する。その他のインシュリンの場合、Ｕとナノモルとの関係は、未知である場合、例えばヒトインシュリンの薬理学的（血中ぶどう糖量を低下させる）効果と同等の効果を与える量を測定する事により決定する事ができる。
【００１５】
発明の概要
端的に言えば、本発明は、内層及び外層の二層を含むフィルムから成る柔軟で透明な防水性チャンバに関し、本チャンバにおいて、二層は貼り合わされてフィルムを形成しており、フィルムは透明な小袋に形成されており、小袋は十分な耐湿性、耐フェノール性及び耐ｍ−クレゾール性を有し、よって水、フェノール及び／又はｍ−クレゾールを含むか又はそれらから成る医薬品溶液又は懸濁液を長期間保管しても、水、フェノール及びｍ−クレゾールの濃度に有意な変化がなく、及び小袋を放射線によって殺菌する事ができる。
別の態様では、本発明は、投与装置で使用するためにインシュリン溶液及び／又は懸濁液を長期間保管する方法に関し、本方法は、十分な耐水性、耐フェノール性及び耐ｍ−クレゾール性を有し、よって２年間に亘りインシュリンに薬理学的特性の劣化を生じさせない透明な重合体フィルムから小袋を形成する工程、小袋を殺菌する工程、及びインシュリン化合物を長期間保管のため小袋に入れ込む工程を含む。
【００１６】
好ましい実施形態の説明
驚くべき事に、特許請求の範囲に記載の容器が、水溶液、特にフェノール又はｍ−クレゾールなどの保存剤を含む医薬品の溶液を保管するのに用いられる容器に課される要件を満足する事が判明した。
【００１７】
一つの態様において、本発明は、液体を防水性のチャンバに入れて保管するための柔軟で少なくとも一部が透明な容器に関し、本容器においてチャンバの壁の材料は少なくとも二層から成り、前記チャンバが液体を収容する際は、二層の中の内層は前記液体と直に接触し、外層は全く又は殆ど前記液体と接触せず、前記内層と外層は互いに密着して貼り合わされており、本容器は、前記チャンバに水を満たして約５℃の温度で２４ヶ月間保管した場合、容器から発散する水の量はもとの内容量の１０重量％未満であり、前記チャンバを約１.８ｍｇ／ｍＬ（１９ｍＭ）のフェノールを含む水で満たして約５℃の温度で２４ヶ月間保管した場合、液体中のフェノール濃度の変化は約１０％未満である事を特徴とする。
別の態様において、本発明は、液体を防水性のチャンバに入れて保管するための柔軟で少なくとも一部が透明な容器に関し、本容器においてチャンバの壁の材料は少なくとも二層から成り、前記チャンバが液体を収容する際は、二層の中の内層は前記液体と直に接触し、外層は全く又は殆ど前記液体と接触せず、前記内層と外層は互いに密着して貼り合わされており、本容器は、前記チャンバに水を満たして約５℃の温度で２４ヶ月間保管した場合、容器から発散する水の量はもとの内容量の１０重量％未満であり、前記チャンバを約１.８ｍｇ／ｍＬ（１９ｍＭ）のフェノールを含む水で満たし、約３７℃の温度で１２週間保管した場合、液体中のフェノール濃度の変化は約１０％未満である事を特徴とする。
【００１８】
本発明の好ましい一実施形態によれば、本発明は、上述したような容器であって、外層だけで、前記チャンバを水で満たし、約５℃の温度で２４ヶ月間保管した場合、容器から発散する水の量がもとの内容量の１０重量％未満、好ましくは５重量％未満、さらに好ましくは３重量％未満であるという要件を満たす容器に関する。
本発明の別の好ましい一実施形態によれば、本発明は、上述したような容器であって、内層だけで、前記チャンバを約１.８ｍｇ／ｍＬ（１９ｍＭ）のフェノールを含む水で満たし、約５℃の温度で２４ヶ月間保管した場合、液体中のフェノール濃度の変化が約１０％未満であるか、又は前記チャンバを約１.８ｍｇ／ｍＬ（１９ｍＭ）のフェノールを含む水で満たし、約３７℃の温度で１２週間保管した場合、液体中のフェノール濃度の変化が約１０％未満であるという要件を満たす容器に関する。
【００１９】
本発明の別の好ましい一実施形態によれば、本発明は、上述したような容器であって、内層が溶接可能である容器に関する。
本発明の別の好ましい一実施形態によれば、本発明は、上述したような容器であって、内層の厚さが約１０μｍ超、好ましくは約２０μｍ超、且つ約６０μｍ未満、好ましくは約５０μｍ未満、さらに好ましくは約４０μｍ未満である容器に関する。
【００２０】
本発明の別の好ましい一実施形態によれば、本発明は、上述したような容器であって、水を満たし、約５℃の温度で２４ヶ月間保管した場合、容器から発散する水の量はもとの内容量の１０重量％未満、好ましくは５重量％未満、さらに好ましくは２重量％未満である容器に関する。
本発明の別の好ましい一実施形態によれば、本発明は、上述したような容器であって、約１.８ｍｇ／ｍＬ（１９ｍＭ）のフェノールを含む水を満たし、約５℃の温度で２４ヶ月間保管した場合、フェノール濃度の変化が約１０％未満、好ましくは約５％未満、さらに好ましくは約２％未満である容器に関する。
本発明の別の好ましい一実施形態によれば、本発明は、上述したような容器であって、約１.８ｍｇ／ｍＬ（１９ｍＭ）のフェノールを含む水を満たし、約３７℃の温度で１２週間保管した場合、フェノール濃度の変化が約１０％未満、好ましくは約５％未満、さらに好ましくは約２％未満である容器に関する。
本発明の別の好ましい一実施形態によれば、本発明は、上述したような容器であって、２.０６ｍｇ／ｍＬ（１９ｍＭ）のｍ−クレゾールを含む水を満たし、約５℃の温度で２４ヶ月間保管した場合、ｍ−クレゾール濃度の変化が約１０％未満、好ましくは約５％未満、さらに好ましくは約２％未満である容器に関する。
本発明の別の好ましい一実施形態によれば、本発明は、上述したような容器であって、２.０６ｍｇ／ｍＬ（１９ｍＭ）のｍ−クレゾールを含む水を満たし、約３７℃の温度で１２週間保管した場合、ｍ−クレゾール濃度の変化が約１０％未満、好ましくは約５％未満、さらに好ましくは約２％未満である容器に関する。
【００２１】
本発明の別の好ましい一実施形態によれば、本発明は、上述したような容器であって、下記試験Ａで試験した結果のｍ−クレゾールの最大損失が約１０％、好ましくは約５％以下である小袋用箔で調製された容器に関する。
本発明の別の好ましい一実施形態によれば、本発明は、上述したような容器であって、下記試験Ａで試験した結果のｐＨ値の変化が約±０.２未満である小袋用箔で調製された容器に関する。
本発明の別の好ましい一実施形態によれば、本発明は、上述したような容器であって、下記試験Ｂで試験した結果の最大重量損失が約２.５％、好ましくは約１％以下である小袋用箔で調製された容器に関する。
本発明の別の好ましい一実施形態によれば、本発明は、上述したような容器であって、下記試験Ｂで試験した結果のｍ−クレゾールの最大損失が約１０％、好ましくは約５％以下である小袋用箔で調製された容器に関する。
本発明の別の好ましい一実施形態によれば、本発明は、上述したような容器であって、下記試験Ｂで試験した結果のｐＨ値の変化が約±０.２を超える小袋用箔で調製された容器に関する。
本発明の別の好ましい一実施形態によれば、本発明は、上述したような容器であって、下記試験Ｃで試験した結果の最大重量損失が２.５％、好ましくは約２％以下である小袋用箔で調製された容器に関する。
本発明の別の好ましい一実施形態によれば、本発明は、上述したような容器であって、下記試験Ｃで試験した結果のｍ−クレゾールの最大損失が約１０％、好ましくは約５％以下である小袋用箔で調製された容器に関する。
本発明の別の好ましい一実施形態によれば、本発明は、上述したような容器であって、下記試験Ｃで試験した結果のフェノールの最大損失が約１０％、好ましくは約５％以下である小袋用箔で調製された容器に関する。
本発明の別の好ましい一実施形態によれば、本発明は、上述したような容器であって、下記試験Ｃで試験した結果のｐＨ値の変化が約±０.２以下である小袋用箔で調製された容器に関する。
本発明の別の好ましい一実施形態によれば、本発明は、上述したような容器であって、希釈倍率１:５０、好ましくは１:１００、さらに好ましくは１:２００、さらに好ましくは希釈倍率１:４００について下記試験Ｄの基準を満たす小袋用箔で調製された容器に関する。
【００２２】
本発明の別の好ましい一実施形態によれば、本発明は、上述したような容器であって、柔軟性のある容器に関する。
本発明の別の好ましい一実施形態によれば、本発明は、上述したような容器であって、前記液体を前記容器から放出できる装置を備えた容器に関する。
本発明の別の好ましい一実施形態によれば、本発明は、上述したような容器であって、第三の重合体層がＰＣＴＦＥ層の外側に追加される容器に関する。
本発明の別の好ましい一実施形態によれば、本発明は、上述したような容器であって、液体で完全に満たされた場合、少なくとも約０.５ｍｌ、好ましくは少なくとも約１ｍｌで、且つ約１０ｍｌ以下、好ましくは約５ｍｌ以下、さらに好ましくは約２ｍｌ以下の液体を収容することができ、好ましくはその容積が約１.５ｍｌである容器に関する。本発明の特定の好ましい実施形態によれば、本発明は、約２ｍｌ〜約４ｍｌ、好ましくは約３ｍｌの液量を収容する容器に関する。
【００２３】
本発明の別の好ましい一実施形態によれば、本発明は、上述したような容器であって、一部又は全部が液体製薬的組成物で満たされる容器に関する。
本発明の別の好ましい一実施形態によれば、本発明は、上述したような容器であって、容器の内部の少なくとも９５容量％、好ましくは少なくとも９８容量％、さらに好ましくは少なくとも９９容量％、更にさらに好ましくは少なくとも９９.９容量％が液体製薬的組成物を収容する容器に関する。
本発明の別の好ましい一実施形態によれば、本発明は、上述したような容器であって、含有有効成分をペプチドとする液体製薬的組成物で一部又は全部が満たされる容器に関する。
本発明の別の好ましい一実施形態によれば、本発明は、上述したような容器であって、含有有効成分をインシュリンとする液体製薬的組成物で一部又は全部が満たされる容器に関する。
本発明の別の好ましい一実施形態によれば、本発明は、上述したような容器であって、前記容器中のインシュリン含有量が約１０Ｕ／ｍｌ〜約１,５００Ｕ／ｍｌである容器に関する。
本発明の別の好ましい一実施形態によれば、本発明は、上述したような容器であって、保存剤を含む溶液または懸濁液を収容する容器に関する。
本発明の別の好ましい一実施形態によれば、本発明は、上述したような容器であって、フェノールを含有する液体製薬的組成物で一部又は全部が満たされる容器に関する。
本発明の別の好ましい一実施形態によれば、本発明は、上述したような容器であって、ｍ−クレゾールを含有する液体製薬的組成物で一部又は全部が満たされる容器に関する。
本発明の別の好ましい一実施形態によれば、本発明は、上述したような容器であって、ベンジルアルコールを含有する液体製薬的組成物で一部又は全部が満たされる容器に関する。
【００２４】
また別の態様において、本発明は、上述したような容器を上記液体製薬的組成物の保管に用いる使用法に関する。
【００２５】
さらに別の態様において、本発明は、液体を防水性のチャンバに入れて保管するための容器に関し、本容器においてチャンバの壁の材料は少なくとも二層から成り、前記チャンバが液体を収容する際は、二層の中の内層は前記液体と直に接触し、ＰＣＴＦＥフィルムから成る他方の層は全く又は殆ど前記液体と接触せず、前記内層はＰＥフィルム又はＰＰフィルムから成り、前記内層と前記ＰＣＴＦＥ層は共押し出し又は押し出し−積層により調製されたものであるか又は前記内層と前記ＰＣＴＦＥ層とは互いに貼り合わされたものであり、前記ＰＣＴＦＥ層の厚さは約４０μｍを超、且つ約１００μｍ未満、好ましくは約７５μｍ未満である容器に関する。
本発明の好ましい一実施形態によれば、本発明は、上述したような容器であって、少なくとも一部が透明である容器に関する。
本発明の好ましい態様によれば、本発明は、上述したような容器であって、全部が透明である容器に関する。
【００２６】
本発明の容器の内層は、ポリエチレン（以下ＰＥと称する）、ポリプロピレン（以下ＰＰと称する）又はＰＥとＰＰの混合物から成り立っている。ＰＥは少なくとも重量７５％、好ましくは少なくとも９０重量％、さらに好ましくは少なくとも９５重量％のポリエチレンから成る。ＰＰは少なくとも７５重量％、好ましくは少なくとも９０重量％、さらに好ましくは少なくとも９５重量％のポリプロピレンから成る。
本発明の好ましい一実施形態において、ＰＥは欧州薬局方２００１、第４版、項目３.１.５に規定されるものであり、その規定内容をここで参照することにより本明細書に包含する。ＰＥ中に存在する成分の例としては、高級アルケン族炭化水素（炭素数３〜１０）及び上記記載個所にあるその他添加剤が挙げられる。
本発明の好ましい一実施形態において、ＰＰは欧州薬局方２００１、第４版、項目３.１.６に規定さされるものであり、その規定内容をここで参照することにより本明細書に包含する。端的にいえば、ＰＰはプロピレンの単独重合体、プロピレンと２５％以下のエチレンとの共重合体、又はポリプロピレンと２５％以下のポリエチレンとの混合物（合金）から成る。ＰＰは上記項目３.１.６に記載の添加剤を含んでいてもよい。
本発明の好ましい一実施形態において、内層は少なくとも７５重量％、好ましくは少なくとも９０重量％、さらに好ましくは少なくとも９５重量％のポリクロロトリフルオロエチレンフィルム、例えばアクラー（登録商標）（ハネウェル社／米国ニュージャージー州モリスタウン）から成るＰＣＴＦＥ層である。
本発明の好ましい一実施形態において、外層は少なくとも７５重量％、好ましくは少なくとも９０重量％、さらに好ましくは少なくとも９５重量％のポリクロロトリフルオロエチレンフィルム、例えばアクラー（登録商標）（ハネウェル社／米国ニュージャージー州モリスタウン）から成るＰＣＴＦＥ層である。
【００２７】
内層と外層（例えば、ＰＣＴＦＥ層）とを確実に互いに貼り合わせるために用いられる連結層は接着剤、例えばポリエチレンイミン（以下ＰＥIと称する）又はその他の適切な連結層から成る。或いは、連結層は、不飽和カルボン酸又はその無水物の少なくとも一つの官能基を有するポリオレフィンであってもよい。その例としては、アトフィナ社製のロテーダー、ロトリル、エヴァテイン及びオレヴァック、バイエル社製のラヴァメルト、イーストマン社製のプロヴィスタ及びイースター、デュポン社製のバイネル、及びダウ社製のアンプリファイ及びインテグラル等が挙げられる。
連結層の更なる例はＷＯ９８/２５７６２に記載されており、その内容をここでの参照により本明細書に包含する。特定の連結層の一例として、ハネウェル社製アクラー（登録商標）Ｃｘ１３０に用いられている連結層が言及されている。
最終材料に望ましくない影響を及ぼさない連結層を選択する事が重要である。本発明の好適な一実施形態において、下記試験に示すように、本発明の容器に約１.８ｍｇ／ｍｌのフェノールを含む水溶液を入れた場合、５℃で２４ヶ月間、又は２７℃で１２週間の間に、フェノール、ｍ−クレゾール又はベンジルアルコールの損失量がほんの僅かであるような連結層を選択する。
従来の連結層は厚さが例えば２μｍ又は８μｍである。本発明の好ましい一実施形態によれば、本発明は、上述したような容器であって、箔中の一又は複数の連結層の厚さが約１μｍ〜約１０μｍ、好ましくは約８μｍ未満、さらに好ましくは約６μｍ未満である容器に関する。
【００２８】
本発明の容器を調製するために、共押し出し−積層製品を用いるのは、上記ＰＰ又はＰＥとＰＣＴＦＥのような特定の重合体層の一部に限らない。
ＰＰ又はＰＥとＰＣＴＦＥ以外の材料から成る共押し出し−積層製品の例としては、公知の標準的積層技術を用いて調製できる、ＰＣＴＦＥに共押し出しＰＥ−ＰＥＴ箔を積層したものを挙げる事ができる。この構造は、ｍ−クレゾールのような易動性分子に対する顕著な遮断特性を有する。
【００２９】
第三の重合体層を外層の外側、例えばＰＣＴＦＥ層の外側に追加できる。そのような第三層の例としては、ＰＰ、ＰＥ、ＰＥＴ−Ｇ（グリセロール変性ポリエチレンテレフタレート）及びＴＰＥ（熱可塑性弾性体）の層が挙げられ、これらは貯槽の外側から溶接する事ができる。図５はそのような第三の重合体層が用いられる実施例を示す。この実施例において、追加層は内層と同じでも異なってもよい。本発明の好ましい一実施形態において、追加層と内層とは同一又は殆ど同一である。
本発明の好ましい一実施形態において、内層の厚さは、少なくとも約２０μｍ、好ましくは少なくとも約３０μｍであり、且つ約１００μｍ以下、好ましくは約７５μｍ以下である。
【００３０】
共押し出し体から成る本発明の容器を製造するのに有用な箔は以下のように調製することができる。
ＰＣＴＦＥ（ペレット状又は粉末状）の供給材料、連結層の供給材料及びＰＥの供給材料を三つの別々の押し出し機中で溶融し、平ノズルを通し、溶融状態で好ましい厚みに共押し出しし、冷却した後、箔を形成する。
【００３１】
押し出し−積層体から成る本発明の容器を製造するのに有用な箔は以下のように調製される。
溶融連結層を相溶剤として機能するようにＰＣＴＦＥ箔に付加した後、溶融溶接層、例えばＰＥ、ＰＰ又は他の重合体を添加することにより、好ましい厚さのＰＣＴＦＥ箔の供給材料を押し出し−積層の工程により加工する。押し出し−積層体を冷却ドラムなどの上で冷却し、通気を行う。連結層の化学的性質は、ｍ−クレゾールやフェノールのような芳香族保存剤に対し低い親和性を有するものである。
【００３２】
積層体から成る本発明の容器を製造するのに有用な箔は以下のように調製される。
積層体を製造するもう一つの有用な方法は、好ましい厚さのＰＣＴＦＥ箔の供給材料を接着剤と組み合わせて用い、その後ＰＣＴＦＥ箔を好ましい溶接層、例えば共押し出しＰＥＴ−ＰＥ、から成る箔と接着により好ましい厚さに積層する方法である。通常接着剤はｍ−クレゾールやフェノールのような芳香族保存剤に対し高い親和性を有するポリウレタンを基剤とする。
【００３３】
溶接層を用いて二つの層を互いに貼り合わせてできる本発明の容器は以下のように調製される。
二つの溶接層を互いに対向配置し、例えば熱、超音波、又はレーザー等を用いる公知の適切な溶接技術を用いて溶接する。溶接域の内周と外周は、貯槽の寸法と形状を考慮に入れて決定する。
【００３４】
本発明の容器は、容器を小袋として使えるように充填できる柔軟性を有していなければならない。
水性組成物が保存剤を含んでいる場合、保存剤が抗菌効力を維持するのに十分な濃度を有する事が重要である。
好ましい一実施形態において、本発明の容器は、例えばβ線又はγ線の照射或いは加熱といった簡便な方法で容器を殺菌できるような材料から成る。
好ましい一実施形態において、本発明の容器は、次のような柔軟性に関する次のような試験に合格するような材料から成る。試験は、試験対象である共に６０ｍｍ×２０ｍｍのサイズを持つ二枚の長方形の材料片を３ｍｍの溶接域を設けて溶接し、試験用の溶接小袋を形成した後、小袋中に１.５ｍｌの水を入れた。過圧が１００ミリバール未満である場合、その材料の柔軟性を十分であるとした。
【００３５】
本発明の好ましい一実施形態において、本発明の容器は、水性製薬的組成物、場合によっては薬理学的に活性な化合物の溶液又は懸濁液の保管に用いることを目的とする。
本発明の好ましい一実施形態において、前記製薬的組成物中の有効成分はタンパク質である。本発明の更に好ましい実施形態において、有効成分はインシュリン、成長ホルモン、因子ＶＩＩ又はそれらの類似体である。本発明の好ましい実施形態において、水溶液又は懸濁液中のインシュリンの量は、下限が約１０Ｕ／ｍｌ、好ましくは約４０Ｕ／ｍｌ、さらに好ましくは約１００Ｕ／ｍｌ、さらに好ましくは約１５０Ｕ／ｍｌ、上限が約１,５００Ｕ／ｍｌ、好ましくは約１,０００Ｕ／ｍｌ、さらに好ましくは約５００Ｕ／ｍｌ、さらに好ましくは約３００Ｕ／ｍｌである。
【００３６】
本発明の好ましい一実施形態において、水性組成物は安定剤を含んでいる。本発明の好ましい一実施形態において、水性組成物はフェノールを含む。本発明の別の好ましい一実施形態において、水性組成物はｍ−クレゾールを含む。本発明の別の好ましい実施形態において、水性組成物はベンジルアルコールを含む。本発明の更に好ましい実施形態において、水性組成物中のフェノール及び／又はｍ−クレゾールの全濃度は、約２０ｍＭ〜約５０ｍＭ、好ましくは約３０ｍＭ〜約４５ｍＭである。フェノール及び／又はｍ−クレゾールの全濃度は、とりわけ水性組成物中のインシュリンの濃度に依存する。本発明の好ましい実施形態において、水溶液中のフェノールの量は約１５ｍＭ〜約２５ｍＭである。本発明の別の好ましい一実施形態において、水溶液中のｍ−クレゾールの量は約１５ｍＭ〜約２５ｍＭである。本発明の別の好ましい一実施形態において、水性組成物中のベンジルアルコールの量は約１５ｍＭ〜約２５ｍＭの範囲内である。本発明の別の好ましい一実施形態において、水性組成物中にはベンジルアルコールは存在しない。
本発明の容器を調製するのに用いられる材料の選択に際しては、有効成分や水性製薬的組成物中に存在するその他の成分を余り吸収しない材料を選択する事が重要である。
【００３７】
特許請求の範囲に述べるように、本発明の容器は、必要であれば前記液体を前記容器から放出する装置を備えていてもよい。そのような装置の一例に、容器箔の内側又は外側、或いは二枚の箔の間の溶接域に接着されたゴム材料の形態の針侵入用の隔壁を挙げる事ができる。別の例として、容器に接着された正圧又は負圧で閉じるバルブを挙げる事ができる。本発明の容器は、貯槽に外圧をかける事により、又はポンプ装置で吸引する事により、空にする事ができる。
本発明の容器は例えばポンプ、注射器又はペン型注射器等多くの装置に使用する事ができる。都合のよい事に、本発明の容器は使い捨て型である。
【００３８】
本発明は又、少なくとも二層から成るフィルム材料であって、前記二層が互いに密に貼り合わされており、本発明の透明の容器を調製するのに用いる事ができるようなフィルム材料に関する。本発明の好ましい実施形態において、本発明の範囲に含まれるフィルム材料は、請求の範囲に記載の容器を調製するのに直接用いる事ができる。例えば、本発明の範囲に含まれるフィルム材料は、その二つの表面の一方の全体に更なるフィルムを付着するように加工されることはない。
【００３９】
本明細書における参考文献への言及は、それらが従来技術の構成要素となっている事を承認するものではない。
本明細書で使用する、「から成る」という用語は広義で使用され、「を含む」「を有する」「を備える」等と同義である（欧州特許行審査基準２０００、Ｃ、III章、４.１３」参照）。
【００４０】
試験方法
好ましい一実施形態において、本発明の容器は、下記試験の一部又は全てに合格した小袋用箔から調製される。
【００４１】
試験Ａ
ｍ−クレゾールの損失とｐＨ変化の試験
最初に、合計厚さ１cｍ未満の多数の平坦なＡ４サイズのシート上で、箔に２×２５ｋＧｙの電子線を照射する。
その後、１０cｍ２（２×５cｍ２）の箔から１５枚の小さなサイズ（０.７×１cｍ２）の小片を切り出し、これらを約１.８０ｍｇ／ｍＬ（１９ｍＭ）のフェノール、２.０６ｍｇ／ｍＬ（１９ｍＭ）のｍ−クレゾール、１６.０ｍｇ／ｍＬ（１７４ｍＭ）のグリセロール、１.２５ｍｇ／ｍＬ（７ｍＭ）のリン酸水素二ナトリウム、及び０．５８ｍｇ／ｍＬ（１０ｍＭ）の塩化ナトリウムを含むｐＨ７.４０の溶液１.５ｍｌ中に浸漬する。浸漬した試験片及び対照試験片を３７℃のインキュベーターの中に一週間入れる。
クロマトグラフ法を用いて溶液中のｍ−クレゾール含有量を分析する。
この試験により、境界における接着剤中への直接の吸収を含めたｍ−クレゾールの総移動量が判る。上記条件で溶液を保管した場合、要件：ｍ−クレゾールの最大損失は１０％、好ましくは５％未満でなければならない。また、溶液のｐＨ値の変化が±０.２を超えてはならない。
【００４２】
試験Ｂ
ｍ−クレゾールの浸透と損失及びｐＨの試験
規格ＤＳ／ＥＮ１３７２６−２を一部変更したパディントンカップ試験
この方法では、試験の箔は二枚のフランジの間に配置し、内側の箔（ＰＥ、ＰＰ又はその他の溶接層）の面積１０cｍ２を、フェノール約１.８０ｍｇ／ｍＬ（１９ｍＭ）、ｍ−クレゾール２.０６ｍｇ／ｍＬ（１９ｍＭ）、グリセロール１６.０ｍｇ／ｍＬ（１７４ｍＭ）、リン酸水素二ナトリウム１.２５ｍｇ／ｍＬ（７ｍＭ）、及び塩化ナトリウム０.５８ｍｇ／ｍＬ（１０ｍＭ）を含むｐＨ７.４０の溶液５ｍｌと接触させる。このパディントンカップを逆さまにして溶液と箔とを直接接触させ、不活性アルミニウムの箔をセットしたパディントンカップから構成される対照試験片と共に、一週間、温度３７℃で相対湿度最大１５％のインキュベーターの中に置く。二つのパディントンカップの重量を、保管の前後で測定する。ｍ−クレゾールの含有量はクロマトグラフ法を用いて分析する。この試験は、総蒸発量を試験するのに有用で、ｍ−クレゾールやフェノールのような保存剤に対する遮断特性が判かる。上記条件で溶液が保管された場合、要件：最大重量損失が２.５％、好ましくは１％未満である事、ｍ−クレゾールの最大損失が１０％、好ましくは５％未満である事、及びｐＨ値の変化が±０.２を超えてはならない事、を満たさなければならない。
【００４３】
試験Ｃ
賦形剤を有する小袋の試験
この試験では、箔を溶接し小袋に溶液を満たす事により小袋を製造する。一部の小袋は、温度３７℃及び相対湿度１５％で保管する前と、保管後１２週間における重量を測定する。一部の小袋は３７℃で保管し、１２週間後まで定期的にｍ−クレゾールとフェノールの含有量について試験する。ガラスビンを対照として用いる。上記条件で溶液を１２週間保管したときの、最大重量損失が２.５％以下、好ましくは２％以下である事、ｍ−クレゾールの最大損失が１０％以下、好ましくは５％以下である事、フェノールの最大損失が１０％以下、好ましくは５％以下である事を要件とする。溶液のｐＨ値の変化は±０.２を超えてはならない。
【００４４】
試験Ｄ
液体を満たした小袋の透明性
液体を満たした小袋は、非経口注入される水溶液用のプラスチック容器に関して欧州薬局方２００１、第４版、３.２.２.１に記載の透明性に対する要件を満たさなければならない。ここに記載の方法では、溶液Ｓを１:２００（ＰＥ又はＰＰの場合）又は１:４００（その他の容器の場合）に希釈する。この試験は、１:５０又は１:１００に希釈した溶液Ｓを試験するように変更する事もできる。
【００４５】
下記実施例は例示として提示されるものであって、本発明を限定するものではない。
【実施例】
【００４６】
実施例１
厚さ５０ミクロンのＰＣＴＦＥをエポキシ変性ポリエチレンイミン（連結層）及び厚さ５０ミクロンのＰＥと一緒に共押し出しする。共押し出しされた箔は容積約１.５ｍｌの容器を熱溶接により調製するのに用いられる。
実施例２
ＰＵを基剤とする接着剤を用いてＰＥ−ＰＥＴの共押し出し体をアクラー（登録商標）ＵｌｔｒＲｘ２０００とＰＥＴとの積層体に貼りつけ、ＰＥ−ＰＥＴ／アクラー（登録商標）ＵｌｔｒＲｘ２０００／ＰＥＴ（「／」は接着剤を用いている事を表す）のような構造体を製造する。共押し出しされた箔は容積約１.５ｍｌの容器を熱溶接により調製するのに用いられる。
実施例３
厚さ５０ミクロンのＰＰを実施例１に記載の箔のＰＣＴＦＥ層上に積層する。三つの重合体から成る箔は、ＰＥ溶接層を用いて小袋を製造するのに有用であり、それにより小袋外側のＰＰ層に溶接する事のできる材料から成る部材を接着する事ができる。
実施例４
テクニ−プレックスヨーロッパＮ．Ｖ．の特許出願明細書ＰＣＴ／ＢＥ０３／０００２２６に従って製造した、厚さ２５ｍμのＰＥと厚さ５０ｍμのＰＣＴＦＥ（連結層付き）とから成る試験用多層フィルムを、機密遵守合意の下に上記試験Ａ、Ｂ及びＣにより試験した。試験結果は下記の通りであった。
試験Ａ：ｍ−クレゾールの損失は１％であった。ｐＨ値は７.４３から７.３５へ変化した。
試験Ｂ：ｍ−クレゾールの損失は１％であった。重量損失は０.１％であった。
試験Ｃ：重量損失は１.３％であった。ｍ−クレゾールの損失は８.７％であった。フェノールの損失は２.１％であった。ｐＨ値の変化は、薬剤製品について７.３５から７.２０であった。
【図面の簡単な説明】
【００４７】
【図１】本発明の一実施例であり、本発明による容器中のチャンバの壁の断面図を示す。内層２は前記容器中に保管される液体と直に接する。通常、外層１（ＰＣＴＦＥ層でよい）は容器中の液体とは接触しない。図１に示す本発明の本実施形態において、内層と外層（ＰＣＴＦＥ層）は連結層３を用いて貼り合わされている。
【図２】本発明の一実施例であり、図１と同様であるが、図１中の数字を適切な説明文に置き換えた。
【図３】柔軟性のある容器の一側面を示す。この図において、溶接層４により容器の密封性が保証されている。容器の内部５には液体を満たすことができる。
【図４】図３に示す側面を線１−１に沿って垂直に切った断面図を示す。容器の壁６は外層１、内層２、及び連結層３から成る。
【図５】本発明の特定の実施形態におけるチャンバの壁及び隣接する液体の一部の断面図を示す。
【図１】
2007506464.tif 000003
【図２】
2007506464.tif 000004
【図３】
2007506464.tif 000005
【図４】
2007506464.tif 000006
【図５】
2007506464.tif 000007
【国際調査報告】
2007506464.tif 000008
2007506464.tif 000009
2007506464.tif 000010